【事件の表示】
　特願２０１７−５０６８５９「端末装置能力報告方法および装置」拒絶査定不服審判事件〔平成２８年　２月１１日国際公開、ＷＯ２０１６／０１９５８１、平成２９年　８月２４日国内公表、特表２０１７−５２４３０５〕について、次のとおり審決する。
【結　論】
　本件審判の請求は、成り立たない。
【理　由】
第１　手続の経緯
　本願は，２０１４年（平成２６年）８月８日を国際出願日とする出願であって，その手続の経緯の概略は以下のとおりである。
　平成２９年　３月　９日　　：手続補正書の提出
　平成３０年　４月　６日付け：拒絶理由通知書
　平成３０年　７月１２日　　：意見書，手続補正書の提出
　平成３０年　８月１７日付け：拒絶査定
　平成３０年１２月２１日　　：拒絶査定不服審判の請求，手続補正書の提
　　　　　　　　　　　　　　　出
　令和　１年１１月１３日付け：拒絶理由通知書（当審）
　令和　２年　２月１０日　　：意見書，手続補正書の提出
第２　本願発明
　本願の請求項１−１４に係る発明は，令和２年２月１０日にされた手続補正により補正された特許請求の範囲の請求項１−１４に記載された事項により特定されるところ，その請求項７に係る発明（以下，「本願発明」という。）は，以下のとおりのものと認める。
「　基地局によって送信された端末能力問合せメッセージを端末装置によって受信するステップであって，前記端末能力問合せメッセージは，デバイス間（D2D）能力報告要求情報を含み，前記D2D能力報告要求情報は，前記端末装置に，D2D能力情報を報告するように指示するために使用される，ステップと，
　前記端末装置が前記基地局によって送信された前記端末能力問合せメッセージを受信した場合にのみ，前記端末装置のD2D能力情報を，前記端末装置によって取得するステップであって，前記端末装置の前記D2D能力情報は，前記端末装置がD2D通信およびキャリアアグリゲーションの両方をサポートする能力情報を含み，前記端末装置がD2D通信をサポートする能力情報は，D2D検出能力，D2Dブロードキャスト通信能力，D2Dポイントツーポイント伝送能力，D2Dマルチキャスト通信能力，またはD2Dリレー通信能力を含む，ステップと，
　前記D2D能力報告要求情報に従って，前記D2D能力報告要求情報に対応する，前記端末装置の前記D2D能力情報を，前記端末装置によって前記基地局に送信するステップとを備える，端末装置能力報告方法。」
第３　拒絶の理由
　令和１年１１月１３日付けで当審が通知した拒絶理由（以下，「当審拒絶理由」という。）の概要は，
「３．（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」
というものであり，本願発明に対応する請求項９について，以下の引用例１，４，５，６が引用されている。
引用例１：D2D capability for multi-carrier capable UE[online]， 
　　　　　3GPP TSG-RAN WG2♯86 R2-142634，インターネット
　　　　　＜URL:https://www.3gpp.org/ftp/tsg_ran/WG2_RL2/TSGR2_86/
　　　　　Docs/R2-142634.zip＞，掲載日２０１４年　５月１９日
引用例４：国際公開第２０１３／１６３５９５号
引用例５：特開２０１２−２０４９１０号公報
引用例６：特開２０１４−０２２８４７号公報
第４　当審の判断
１　引用発明
（１）引用発明１
　当審拒絶理由に引用された国際公開第２０１３／１６３５９５号（引用例４）には，以下の事項が記載されている。（下線は当審が付与。）
「[0308] 　
The network may obtain WTRU's D2D capability information. For example, this may be achieved by adding a new field of UE-D2D- Capability in ue-CapabilityRequest carried in WTRUCapability Enquiry message to trigger the WTRU to return the WTRU D2D radio access capability.
[0309] 　
A D2D capable WTRU may inform the network about its D2D capabilities, 
 to carry over a WTRU's D2D radio access capabilities. The WTRU capability information may include in- band/out-of-band carrier frequencies that the D2D capable WTRU is able to operate in.
The WTRU capability information may include whether the D2D WTRU is capable of operating using a single RAT (e.g., 3GPP RAT) 
（当審仮訳：
[0308] 　
 ネットワークは，ＷＴＲＵのＤ２Ｄ能力情報を得ることができる。例えば，これは，ＷＴＲＵＣａｐａｂｉｌｉｔｙ Ｅｎｑｕｉｒｙメッセージ中で搬送されるｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加して，ＷＴＲＵ  Ｄ２Ｄ無線アクセス能力を返すようＷＴＲＵをトリガするようにすることによって，達成することができる。
[0309] 　 
Ｄ２Ｄ対応ＷＴＲＵは，そのＤ２Ｄ能力についてネットワークに通知することができ，
ＷＴＲＵのＤ２Ｄ無線アクセス能力を搬送することによって，行うことができる。ＷＴＲＵ能力情報は，Ｄ２Ｄ対応ＷＴＲＵが動作できる帯域内／帯域外キャリア周波数を含んでよい。ＷＴＲＵ能力情報は，Ｄ２Ｄ  ＷＴＲＵが単一ＲＡＴ（例えば３ＧＰＰ  ＲＡＴ）を使用して動作できるかどうか
　上記の記載，並びに当業者の技術常識を考慮すると，以下のことがいえる。
ア　[0308]には，ＷＴＲＵＣａｐａｂｉｌｉｔｙ Ｅｎｑｕｉｒｙメッセージは，ｕｅ−ＣａｐａｂｉｌｉｔｙＲｅｑｕｅｓｔを含み，ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすることが記載されているといえる。
　また，[0308]の「ネットワークは，ＷＴＲＵのＤ２Ｄ能力情報を得ることができる。例えば，これは，ＷＴＲＵＣａｐａｂｉｌｉｔｙ Ｅｎｑｕｉｒｙメッセージ中で搬送される（中略）新しいフィールドを追加して，ＷＴＲＵ  Ｄ２Ｄ無線アクセス能力を返すようＷＴＲＵをトリガする」との記載から，ネットワークがＷＴＲＵＣａｐａｂｉｌｉｔｙ ＥｎｑｕｉｒｙメッセージをＷＴＲＵに送信し，ネットワークから送信されたＷＴＲＵＣａｐａｂｉｌｉｔｙ ＥｎｑｕｉｒｙメッセージをＷＴＲＵが受信し，受信したＷＴＲＵＣａｐａｂｉｌｉｔｙ ＥｎｑｕｉｒｙメッセージによってＷＴＲＵがＤ２Ｄ無線アクセス能力を返すようにトリガされていることは明らかである。
　よって，引用例４には，「ネットワークから送信されたＷＴＲＵＣａｐａｂｉｌｉｔｙ ＥｎｑｕｉｒｙメッセージをＷＴＲＵが受信すること，ＷＴＲＵＣａｐａｂｉｌｉｔｙ Ｅｎｑｕｉｒｙメッセージは，ｕｅ−ＣａｐａｂｉｌｉｔｙＲｅｑｕｅｓｔを含み，ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすること」が記載されていると認める。
イ　[0309]には，ＷＴＲＵ能力情報は，Ｄ２Ｄ対応ＷＴＲＵが動作できる帯域内／帯域外キャリア周波数を含むことが記載されている。また，[0309]の「ＷＴＲＵ能力情報は，Ｄ２ＤＷＴＲＵが単一ＲＡＴ（例えば３ＧＰＰ  ＲＡＴ）を使用して動作できるかどうか」との記載から，単一ＲＡＴとして，３ＧＰＰ  ＲＡＴを想定していることは明らかである。更に，３ＧＰＰ  ＲＡＴを使用してユーザ端末（ＷＴＲＵ）がＤ２Ｄ動作を行うことは，本願の国際出願日の時点において技術常識といえる。そうすると，[0309]の記載によれば，ＷＴＲＵ能力情報は，３ＧＰＰ　ＲＡＴを使用してＤ２Ｄの動作ができるかどうかを含むといえる。
　また，[0309]の記載によれば，ＷＴＲＵ能力情報のうち，Ｄ２Ｄ無線アクセスに関するものは，Ｄ２Ｄ無線アクセス能力に含まれることは自明である。そして，Ｄ２Ｄ対応ＷＴＲＵが動作できる帯域内／帯域外キャリア周波数，及び３ＧＰＰ  ＲＡＴを使用してＤ２Ｄの動作ができるかどうかは，いずれもＤ２Ｄ無線アクセスに関するものであるから，Ｄ２Ｄ無線アクセス能力に含まれるといえる。
　よって，引用例４には，「Ｄ２Ｄ無線アクセス能力は，Ｄ２Ｄ対応ＷＴＲＵが動作できる帯域内／帯域外キャリア周波数，及び３ＧＰＰ  ＲＡＴを使用してＤ２Ｄの動作ができるかどうかを含むこと」が記載されていると認める。
ウ　[0309]の記載によれば，引用例４には，「ＷＴＲＵがＤ２Ｄ無線アクセス能力をネットワークに通知すること」が記載されていると認める。
エ　上記「ア」〜「ウ」から，引用例４には，「ＷＴＲＵがＤ２Ｄ無線アクセス能力を通知する方法」が記載されていると認める。
　以上を総合すると，引用例４には以下の発明（以下，「引用発明１」という。）が記載されていると認める。
「　ネットワークから送信されたＷＴＲＵＣａｐａｂｉｌｉｔｙ ＥｎｑｕｉｒｙメッセージをＷＴＲＵが受信すること，ＷＴＲＵＣａｐａｂｉｌｉｔｙ Ｅｎｑｕｉｒｙメッセージは，ｕｅ−ＣａｐａｂｉｌｉｔｙＲｅｑｕｅｓｔを含み，ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすること，
　Ｄ２Ｄ無線アクセス能力は，Ｄ２Ｄ対応ＷＴＲＵが動作できる帯域内／帯域外キャリア周波数，及び３ＧＰＰ  ＲＡＴを使用してＤ２Ｄの動作ができるかどうかを含むこと，
　ＷＴＲＵがＤ２Ｄ無線アクセス能力をネットワークに通知すること，
　を含むＷＴＲＵがＤ２Ｄ無線アクセス能力を通知する方法。」
（２）引用発明２
　当審拒絶理由に引用された特開２０１２−２０４９１０号公報（引用例５）には，以下の事項が記載されている。（下線は当審が付与。）
「【０１０４】
　図８は本実施形態における移動局装置の処理能力の通知・管理方法を示すシーケンスチャートである。
まず，基地局装置２は，移動局装置１に対して周波数帯域毎の処理能力を照会する移動局装置能力照会メッセージを送信する（ステップＳ８１）。
追加情報（Ａｄｄｉｔｉｏｎａｌ  Ｉｎｆｏ）の要求であれば周波数帯域の組み合わせ毎の処理能力を抽出し（ステップＳ８２），移動局装置能力情報メッセージで基地局装置２へ通知する（ステップＳ８３）。
（中略）
【０１０６】
　以上のように，本実施形態におけるＭＭＥは，移動局装置１のサポートする周波数帯域毎の処理能力のみを基本情報として保持し，
基地局装置２は複数周波数帯域を用いたキャリア・アグリゲーションを行う場合にのみ基本情報以外の処理能力を移動局装置１から取得する
基地局装置２との通信負荷の軽減，
不必要な処理能力の通知による無線リソースの浪費や移動局装置１の電力消費を軽減することが可能となる。
（中略）
【０１０９】
　また，
本実施形態における移動局装置能力照会メッセージは
追加情報のみを要求
を識別できるように設計してもよい。
基本情報を要求するメッセージを移動局装置１に送信して，取得した処理能力をＭＭＥに通知し，キャリア・アグリゲーションに追加情報が必要である場合のみに追加情報を要求するメッセージを移動局装置１に送信することも可能である。
　上記の記載，並びに当業者の技術常識を考慮すると，以下のことがいえる。
ア　【０１０９】によれば，所定の処理（キャリア・アグリゲーション）を行う場合に，移動局装置の処理能力に関して，基地局装置は，追加情報が必要である場合のみに追加情報を要求する移動局装置能力照会メッセージを移動局装置に送信することが記載されているといえる。
　また，【０１０４】によれば，追加情報を要求する移動局装置能力照会メッセージを受信した移動局装置は，追加情報を抽出し，移動局装置能力情報メッセージで追加情報を基地局装置に通知することが記載されているといえる。
　また，【０１０６】によれば，基地局装置は，通信負荷の軽減，不必要な処理能力の通知による無線リソースの浪費や移動局装置の電力消費を軽減するために，追加情報が必要である場合のみに追加情報を要求する移動局装置能力照会メッセージを移動局装置に送信しているといえる。そうすると，通信負荷を軽減し，不必要な処理能力の通知による無線リソースの浪費や移動局装置の電力消費を軽減するために，移動局装置は，基地局装置から追加情報を要求されていない場合，追加情報を基地局装置に通知せず，移動局装置が，追加情報を要求する移動局装置能力照会メッセージを受信した場合にのみ，要求された追加情報を抽出する処理を行い，追加情報を基地局装置へ通知していることは自明である。
　以上を総合すると，引用例５には以下の発明（以下，「引用発明２」という。）が記載されていると認める。
「　通信負荷の軽減，不必要な処理能力の通知による無線リソースの浪費や移動局装置の電力消費を軽減するために，移動局装置の処理能力に関して，移動局装置が，追加情報を要求する移動局装置能力照会メッセージを受信した場合にのみ，追加情報を抽出する処理を行い，追加情報を基地局装置へ通知する方法。」
（３）引用発明３
　当審拒絶理由に引用された，D2D capability for multi-carrier capable UE[online]， 3GPP TSG-RAN WG2♯86 R2-142634，インターネット＜URL:https://www.3gpp.org/ftp/tsg_ran/WG2_RL2/TSGR2_86/Docs/R2-142634.zip＞，掲載日２０１４年　５月１９日（引用例１）には，以下の事項が記載されている。（下線は当審が付与。）
「Proposal 1　
UE may support D2D operation only on serving frequency or also on non-serving frequency, depending on its capabilities.
Such UE capabilities should be known to network such that network can properly take care of the UE to ensure the continuity of D2D operations
As indicated in the example in the above paragraph, the most essential UE capabilities related to D2D operation is supported D2D band/band combination information. Since the D2D operation should coexist whenever in network coverage, the D2D band/band combination capabilities shall take into account the existing band/band combination capabilities for cellular communication. This means that the supported D2D band/band combination needs to be appended to the existing capability signaling such that the meaning of existing band/band combination signaling is still effective when introducing the extended capability signaling which allow for signaling supported D2D band/band combination information from UE,
 Then upon receiving the extended capability signaling from UE, network can easily identify the supported band/band combination that take both cellular and D2D operation jointly into account.
（中略）
Proposal 3　
UE indicates supported D2D band combinations as part of UE capability signaling.
2.2　Signaling of D2D capabilities
Assuming that UE capability signaling is used, the next question is how UE express its capabilities related to D2D operation together with conventional band/band combination signaling. 
A.　UE supporting a single band for D2D operation concurrently running together with cellular communication
For UE supporting a single band for D2D operation concurrently running together with cellular communication, the straightforward way is to simply introduce a new element indicating a D2D supported band into each entry of existing band/band combination. For example, let us assume that UE support 2 DL+1UL CA band combination and thus indicates the following band combination entries as part of its capability signaling: 
　・　{{DL_X, DL_Y}, UL_X} indicating that UE supports 2DL (X and Y) +1UL CA (band X)
　・　{{DL_X, DL_Y}, UL_Y} indicating that UE supports 2DL (X and Y) +1UL CA (band Y)
Then, the supported band for D2D operation can be simply added as the new element into each entry as follows:
For 2DL (X and Y) +1UL CA (band X) combination, assuming the following band combinations are supported, 
　・　
{{DL_X, DL_Y}, UL_X, D2D_X} indicating that UE supports 2DL (X and Y) +1UL CA (band X) with D2D on band X, where the concurrent D2D operation on indicated band together with cellular communication on indicated band combination is supported.
（中略）
Proposal 4　New element is added into each existing band/band combination entry, where the new element indicates the supported band for D2D operation which can simultaneously run with cellular communication expressed by the existing band/band combination entry. 
Proposal 5　When a new element for indication of supported band for D2D operation, no separate capability signaling for reception and for transmission is introduced. 
That is, if UE indicates via the new element a band_A as part of supported band for D2D operation together with existing band (and band combination) signaling, it shall support a simultaneous operation of D2D reception on band_A with cellular communication expressed by the conventional band/band combination signaling, and it shall also support a simultaneous operation of D2D transmission on the band_A with cellular communication expressed by the conventional band/band combination signaling. 
（当審仮訳：
提案1　
UEは，その能力に応じて，サービング周波数でのみ，又は非サービング周波数でもD2D動作をサポートできます。
　
そのようなUE能力は，ネットワークがUEを適切に処理してD2D動作の連続性を保証するためにネットワークに認識される必要があります
　上記の段落の例で示したように，D2D動作に関連する最も重要なUE能力は，D2Dバンド/バンドコンビネーション情報をサポートしています。 D2D動作はネットワークカバレッジ内にある場合は常に共存する必要があるため，D2Dバンド/バンドコンビネーション能力は，セルラー通信の既存のバンド/バンドコンビネーション能力を考慮に入れる必要があります。これは，サポートされるD2Dバンド/バンドコンビネーション情報を既存の能力シグナリングに追加して，UEからのサポートされるD2Dバンド/バンドコンビネーション情報をシグナリングできる拡張能力シグナリングを導入するときに，既存のバンド/バンドコンビネーションシグナリングの意味が依然として有効である必要があることを意味します。
拡張能力シグナリングをUEから受信すると，ネットワークは，セルラーとD2Dの両方の動作を同時に考慮に入れた，サポートされているバンド/バンドコンビネーションを簡単に識別できます。
（中略）
提案3 　
UEは，サポートされているD2DバンドコンビネーションをUE能力シグナリングの一部として示します。
2.2　D2D能力のシグナリング
　UE能力シグナリングが使用されると仮定すると，次の問題は，UEがどのようにD2D動作に関連する能力を既存のバンド/バンドコンビネーションのシグナリングと共に表現するかです。
A.　 セルラー通信と同時に実行されるD2D動作のための単一バンドをサポートするUE
　セルラー通信と同時に実行されるD2D動作のための単一バンドをサポートするUEの場合，簡単な方法は，D2Dをサポートするバンドを示す新しいエレメントを，既存のバンド/バンドコンビネーションの各エントリにシンプルに導入することです。 例えば，UEが2 DL+1UL CAバンドコンビネーションをサポートしており，その能力シグナリングの一部として次のバンドコンビネーションエントリを示していると仮定します。
　・　{{DL_X, DL_Y}, UL_X}は，UEが，2DL (X and Y) +1UL CA (band X)をサポートすることを示します。
　・　{{DL_X, DL_Y}, UL_Y}は，UEが，2DL (X and Y) +1UL CA (band Y)をサポートすることを示します。
　そして，以下に示すように，D2D動作をサポートするバンドを，新しいエレメントとして各エントリに簡単に追加することができます。
　2DL (X and Y) +1UL CA (band X)コンビネーションの場合，次のバンドコンビネーションがサポートされていると仮定します。
　・　
{{DL_X，DL_Y}，UL_X，D2D_X}は，UEが，バンドXでのD2Dと，2DL (X and Y) +1UL CA (band X)をサポートすることを示します。これは，示されたバンドコンビネーションでのセルラー通信と示されたバンドでの同時D2D動作がサポートされています。
（中略）
提案４　新しいエレメントは，既存の各バンド/バンドコンビネーションエントリに追加されます。新しいエレメントは，既存のバンド/バンドコンビネーションエントリで表されるセルラー通信と同時に実行できるD2D動作をサポートするバンドを示します。
提案５　D2D動作をサポートするバンドを示す新しいエレメントが追加された場合，受信用と送信用の個別の能力シグナリングは導入されません。
つまり，UEが新しいエレメントを介して，既存のバンド（及びバンドコンビネーション）シグナリングとともに，D2D動作をサポートするバンドの一部としてband_Aを示す場合，既存のバンド/バンドコンビネーションシグナリングによって示されるセルラー通信と，band_AでのD2D受信の同時動作をサポートするものとします。また，既存のバンド/バンドコンビネーションシグナリングによって示されるセルラー通信と，band_AでのD2D送信の同時動作もサポートするものとします。
　上記の記載，並びに当業者の技術常識を考慮すると，以下のことがいえる。
ア　「・　{{DL_X，DL_Y}，UL_X，D2D_X}は，UEが，バンドXでのD2Dと，2DL (X and Y) +1UL CA (band X)をサポートすることを示します。これは，示されたバンドコンビネーションでのセルラー通信と示されたバンドでの同時D2D動作がサポートされています。」との記載に関して，「2DL (X and Y) +1UL CA (band X)」とは，バンドXとバンドYの２つのバンドを用いたDL（ダウンリンク）を行い，バンドX を用いたUL（アップリンク）を行うCA（キャリアアグリゲーション）を示していることは明らかである。してみれば，「{{DL_X，DL_Y}，UL_X，D2D_X}」が，示されたバンドコンビネーションでのキャリアアグリゲーションと示されたバンドでの同時D2D動作をサポートすることを示していることは明らかである。
　また，「提案　３」の記載によれば，「{{DL_X，DL_Y}，UL_X，D2D_X}」は，「UE能力シグナリング」に含まれるといえる。
　また，「提案　５」の記載によれば，「同時D2D動作」は，band_AでのD2D受信とband_AでのD2D送信を含むものといえる。
　よって，引用例１には，「示されたバンドコンビネーションでのキャリアアグリゲーションと示されたバンドでの同時D2D動作をサポートすることを示し，同時D2D動作はband_AでのD2D受信とband_AでのD2D送信を含む，UE能力シグナリング」が記載されていると認める。
イ　「提案　１」の「UEは，その能力に応じて，サービング周波数でのみ，又は非サービング周波数でもD2D動作をサポートできます。」との記載，「そのようなUE能力は，ネットワークがUEを適切に処理してD2D動作の連続性を保証するためにネットワークに認識される必要があります」との記載から，UE能力（D2D動作をサポートする周波数）は，D2D動作の連続性を保証するためにネットワークに認識される必要があるものといえる。
　また，「提案　３」の「UEは，サポートされているD2DバンドコンビネーションをUE能力シグナリングの一部として示します。」との記載によればUE能力シグナリングは，サポートされているD2Dバンドコンビネーションを含むといえる。更に，「サポートされているD2Dバンドコンビネーション」は，上述したUE能力（D2D動作をサポートする周波数），すなわちD2D動作の連続性を保証するためにネットワークに認識される必要があるUE能力を含むことは明らかである。
　してみると，引用例１には，UE能力シグナリングは「D2D動作の連続性を保証するためにネットワークに認識される必要があるUE能力を含む」ものであることが記載されていると認める。
　以上を総合すると，引用例１には以下の発明（以下，「引用発明３」という。）が記載されていると認める。
「　D2D動作の連続性を保証するためにネットワークに認識される必要があるUE能力を含むUE能力シグナリングであって，示されたバンドコンビネーションでのキャリアアグリゲーションと示されたバンドでの同時D2D動作をサポートすることを示し，同時D2D動作はband_AでのD2D受信とband_AでのD2D送信を含む，UE能力シグナリング。」
２　対比・判断
　本願発明と引用発明１とを対比する。
（１）引用発明１の「ＷＴＲＵ」は，本願発明の「端末装置」に相当する。また，ＷＴＲＵがネットワークと通信を行う場合に，ネットワーク側の装置として，ＷＴＲＵと通信する基地局が含まれることは自明である。
　また，引用発明１の「ＷＴＲＵＣａｐａｂｉｌｉｔｙ Ｅｎｑｕｉｒｙメッセージ」は，本願発明の「端末能力問合せメッセージ」に相当する。
　また，引用発明１の「Ｄ２Ｄ無線アクセス能力」は，本願発明の「D2D能力情報」に対応する。そして，本願発明の「D2D能力情報を報告するように指示する」ことと，引用発明１の「Ｄ２Ｄ無線アクセス能力を返すようＷＴＲＵをトリガする」ことは，双方とも，Ｄ２Ｄの能力情報を基地局（ネットワーク）に対して通知するように端末装置を動作させることといえる。してみると，引用発明１の「Ｄ２Ｄ無線アクセス能力を返すようＷＴＲＵをトリガすること」は，本願発明の「D2D能力情報を報告するように指示する」ことに相当する。
　また，引用発明１の「ｕｅ−ＣａｐａｂｉｌｉｔｙＲｅｑｕｅｓｔ」は，「ＷＴＲＵＣａｐａｂｉｌｉｔｙ Ｅｎｑｕｉｒｙメッセージ」に含まれるものである。そして，引用発明１の「ｕｅ−ＣａｐａｂｉｌｉｔｙＲｅｑｕｅｓｔ」は，「Ｄ２Ｄ無線アクセス能力を返すようＷＴＲＵをトリガする」ために使用されるものであることは明らかである。してみると，引用発明１の「ｕｅ−ＣａｐａｂｉｌｉｔｙＲｅｑｕｅｓｔ」は，本願発明の「デバイス間（D2D）能力報告要求情報」に相当する。
　したがって，引用発明１の「ネットワークから送信されたＷＴＲＵＣａｐａｂｉｌｉｔｙ ＥｎｑｕｉｒｙメッセージをＷＴＲＵが受信すること，ＷＴＲＵＣａｐａｂｉｌｉｔｙ Ｅｎｑｕｉｒｙメッセージは，ｕｅ−ＣａｐａｂｉｌｉｔｙＲｅｑｕｅｓｔを含み，ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすること」は，本願発明の「基地局によって送信された端末能力問合せメッセージを端末装置によって受信するステップであって，前記端末能力問合せメッセージは，デバイス間（D2D）能力報告要求情報を含み，前記D2D能力報告要求情報は，前記端末装置に，D2D能力情報を報告するように指示するために使用される，ステップ」に相当する。
（２）引用発明１の「ＷＴＲＵ」は，「ネットワークから送信されたＷＴＲＵＣａｐａｂｉｌｉｔｙ Ｅｎｑｕｉｒｙメッセージ」を受信した場合に，Ｄ２Ｄ無線アクセス能力を返すようトリガされるものである。そうすると，Ｄ２Ｄ無線アクセス能力を返す，すなわちＤ２Ｄ無線アクセス能力をネットワークに通知するために，何らかの方法を用いてＤ２Ｄ無線アクセス能力を取得していることは自明である。
　してみると，本願発明の「前記端末装置が前記基地局によって送信された前記端末能力問合せメッセージを受信した場合にのみ，前記端末装置のD2D能力情報を，前記端末装置によって取得するステップ」は，引用発明の「ネットワークから送信されたＷＴＲＵＣａｐａｂｉｌｉｔｙ ＥｎｑｕｉｒｙメッセージをＷＴＲＵが受信すること，ＷＴＲＵＣａｐａｂｉｌｉｔｙ Ｅｎｑｕｉｒｙメッセージは，ｕｅ−ＣａｐａｂｉｌｉｔｙＲｅｑｕｅｓｔを含み，ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすること」と，「前記端末装置が前記基地局によって送信された前記端末能力問合せメッセージを受信した場合に，前記端末装置のD2D能力情報を，前記端末装置によって取得」する点で共通する。
（３）引用発明１の「３ＧＰＰＲＡＴを使用してＤ２Ｄの動作ができるかどうか」は，Ｄ２Ｄにより端末間で情報の伝送ができるかどうか，すなわち，Ｄ２Ｄによるポイントツーポイント伝送能力を含むことは明らかである。そうすると，引用発明１の「３ＧＰＰ  ＲＡＴを使用してＤ２Ｄの動作ができるかどうか」は，本願発明の「D2Dポイントツーポイント伝送能力」に含まれる。
　そして，「または」は択一的であることを意味するから，本願発明の「前記端末装置がD2D通信をサポートする能力情報は，D2D検出能力，D2Dブロードキャスト通信能力，D2Dポイントツーポイント伝送能力，D2Dマルチキャスト通信能力，またはD2Dリレー通信能力を含む」ことは，「前記端末装置がD2D通信をサポートする能力情報は，D2Dポイントツーポイント伝送能力を含む」ことを含む。
　してみると，本願発明の「前記端末装置の前記D2D能力情報は，前記端末装置がD2D通信およびキャリアアグリゲーションの両方をサポートする能力情報を含み，前記端末装置がD2D通信をサポートする能力情報は，D2D検出能力，D2Dブロードキャスト通信能力，D2Dポイントツーポイント伝送能力，D2Dマルチキャスト通信能力，またはD2Dリレー通信能力を含む」ことは，引用発明１の「Ｄ２Ｄ無線アクセス能力は，Ｄ２Ｄ対応ＷＴＲＵが動作できる帯域内／帯域外キャリア周波数，及び３ＧＰＰ  ＲＡＴを使用してＤ２Ｄの動作ができるかどうかを含むこと」と，「端末装置の前記D2D能力情報は，D2Dポイントツーポイント伝送能力を含」む点で共通する。
（４）本願発明の「前記D2D能力報告要求情報に従って，前記D2D能力報告要求情報に対応する，前記端末装置の前記D2D能力情報を，前記端末装置によって前記基地局に送信するステップ」と，引用発明１の「ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすること」及び「ＷＴＲＵがＤ２Ｄ無線アクセス能力をネットワークに通知すること」は，いずれもD2D能力報告要求情報（ｕｅ−ＣａｐａｂｉｌｉｔｙＲｅｑｕｅｓｔ）に従って，D2D能力報告要求情報に対応する端末装置のD2D能力情報を，端末装置によって基地局に送信するものといえる。
　したがって，引用発明１の「ｕｅ−ＣａｐａｂｉｌｉｔｙＲｅｑｕｅｓｔ中のＵＥ−Ｄ２Ｄ−Ｃａｐａｂｉｌｉｔｙの新しいフィールドを追加することによって，Ｄ２Ｄ無線アクセス能力を返すようＷＴＲＵをトリガすること」及び「ＷＴＲＵがＤ２Ｄ無線アクセス能力をネットワークに通知すること」は，本願発明の「前記D2D能力報告要求情報に従って，前記D2D能力報告要求情報に対応する，前記端末装置の前記D2D能力情報を，前記端末装置によって前記基地局に送信するステップ」に相当する。
（５）引用発明１の「ＷＴＲＵがＤ２Ｄ無線アクセス能力を通知する方法」は，ＷＴＲＵの能力を報告する方法であるから，本願発明と同様に「端末装置能力報告方法」を示すものといえる。
（６）本願発明の「前記端末装置がD2D通信をサポートする能力情報は，D2D検出能力，D2Dブロードキャスト通信能力，D2Dポイントツーポイント伝送能力，D2Dマルチキャスト通信能力，またはD2Dリレー通信能力を含む」ことに関して，「または」は択一的であることを意味するから，引用発明１が「D2D検出能力，D2Dブロードキャスト通信能力，D2Dマルチキャスト通信能力，またはD2Dリレー通信能力」との事項を有しないことは，相違点とはならない。
　以上を総合すると，本願発明と引用発明１とは，以下の点で一致し，また，相違している。
（一致点）
「　基地局によって送信された端末能力問合せメッセージを端末装置によって受信するステップであって，前記端末能力問合せメッセージは，デバイス間（D2D）能力報告要求情報を含み，前記D2D能力報告要求情報は，前記端末装置に，D2D能力情報を報告するように指示するために使用される，ステップと，
　前記端末装置が前記基地局によって送信された前記端末能力問合せメッセージを受信した場合に，前記端末装置のD2D能力情報を，前記端末装置によって取得し，
　端末装置の前記D2D能力情報は，D2Dポイントツーポイント伝送能力を含み，
　前記D2D能力報告要求情報に従って，前記D2D能力報告要求情報に対応する，前記端末装置の前記D2D能力情報を，前記端末装置によって前記基地局に送信するステップ，
　を含む端末装置能力報告方法。」
（相違点１）
　「端末能力問合せメッセージを受信した場合に，前記端末装置のD2D能力情報を，前記端末装置によって取得」することについて，本願発明は「端末能力問合せメッセージを受信した場合
にのみ
にのみ
（相違点２）
　「端末装置の前記D2D能力情報は，D2Dポイントツーポイント伝送能力を含」むことについて，本願発明は「前記端末装置の前記D2D能力情報は，前記端末装置がD2D通信およびキャリアアグリゲーションの両方をサポートする能力情報を含み，前記端末装置がD2D通信をサポートする能力情報は，D2Dポイントツーポイント伝送能力を含む」ものであるのに対し，引用発明１は「Ｄ２Ｄ無線アクセス能力は，Ｄ２Ｄ対応ＷＴＲＵが動作できる帯域内／帯域外キャリア周波数，及び３ＧＰＰ  ＲＡＴを使用してＤ２Ｄの動作ができるかどうかを含む」ものであるが，「前記端末装置の前記D2D能力情報は，前記端末装置がD2D通信およびキャリアアグリゲーションの両方をサポートする能力情報を含み，前記端末装置がD2D通信をサポートする能力情報は，D2Dポイントツーポイント伝送能力を含む」ことについては，特定されていない点。
　以下，上記相違点について検討する。
（相違点１）
　上記「第４　当審の判断」の項中の「１　引用発明」の項中の「（２）引用発明２」で認定したとおり，
「　通信負荷の軽減，不必要な処理能力の通知による無線リソースの浪費や移動局装置の電力消費を軽減するために，移動局装置の処理能力に関して，移動局装置が，追加情報を要求する移動局装置能力照会メッセージを受信した場合にのみ，追加情報を抽出する処理を行い，追加情報を基地局装置へ通知する方法。」との引用発明２は公知である。
　そして，通信負荷の軽減，不必要な処理能力の通知による無線リソースの浪費や移動局装置の電力消費を軽減するという課題は一般的な課題である。してみると，当該一般的課題を解決するために，引用発明１に引用発明２の構成を採用することは格別困難なことではない。
　したがって，引用発明１に引用発明２を適用して，引用発明１において，ＷＴＲＵＣａｐａｂｉｌｉｔｙ ＥｎｑｕｉｒｙメッセージをＷＴＲＵが受信した場合にのみ，Ｄ２Ｄ無線アクセス能力をＷＴＲＵが取得し，基地局（ネットワーク）に対して通知するようにすることは，当業者が容易に想到しうることである。
（相違点２）
　上記「第４　当審の判断」の項中の「１　引用発明」の項中の「（３）引用発明３」で認定したとおり，
「　D2D動作の連続性を保証するためにネットワークに認識される必要があるUE能力を含むUE能力シグナリングであって，示されたバンドコンビネーションでのキャリアアグリゲーションと示されたバンドでの同時D2D動作をサポートすることを示し，同時D2D動作はband_AでのD2D受信とband_AでのD2D送信を含む，UE能力シグナリング。」との引用発明３は公知である。
　ここで，引用発明１の「Ｄ２Ｄ対応ＷＴＲＵが動作できる帯域内／帯域外キャリア周波数」と，引用発明３の「示されたバンドコンビネーションでのキャリアアグリゲーションと示されたバンドでの同時D2D動作をサポートすること」は，いずれもＤ２Ｄが動作できる，すなわち，Ｄ２Ｄによる通信ができる周波数バンドに関する能力情報を含むものである。更に，引用発明１の「３ＧＰＰ  ＲＡＴを使用してＤ２Ｄの動作ができるかどうか」と，引用発明３の「同時D2D動作はband_AでのD2D受信とband_AでのD2D送信を含む」ことは，いずれもＤ２Ｄにより端末間で情報の伝送ができるかどうか，すなわち，D2Dポイントツーポイント伝送能力を含むものである。そして，D2D動作の連続性を保証するという課題は一般的な課題である。してみると，当該一般的課題を解決するために，引用発明１に引用発明３の構成を採用することは格別困難なことではない。
　したがって，引用発明１に，引用発明３を適用して，相違点２の構成を採用することは，当業者が容易に想到しうることである。
　そして，本願発明の作用効果も，引用発明１，引用発明２及び引用発明３に基づいて当業者が予測できる範囲のものである。
　したがって，本願発明は，引用発明１，引用発明２及び引用発明３に基づいて当業者が容易に発明をすることができたものであるから，特許法第２９条第２項の規定により，特許を受けることができない。
（請求人の主張について）
　請求人は令和２年２月１０日に提出された意見書の「２．理由３（進歩性）について」の「（２）本願発明と引例発明との差異について」において，「しかしながら，引例１には，D2D通信がサポートされる帯域を示す要素が，D2D検出能力，D2Dブロードキャスト通信能力，D2Dポイントツーポイント伝送能力，D2Dマルチキャスト通信能力，またはD2Dリレー通信能力を含むことは明示的に開示されていません。従って，引例１には，本願発明の上記特徴は，明示的に開示されていません。（中略）しかしながら，ＷＴＲＵ能力情報が，端末装置がD2D通信およびキャリアアグリゲーションの両方をサポートする能力情報を含むことは明示的に開示されていません。すなわち，引例４には，本願発明の上記特徴は，明示的に開示されていません。」と主張している。
　しかしながら，上述したとおり，引用例１には，
「　D2D動作の連続性を確保するためにネットワークに認識される必要があるUE能力を含むUE能力シグナリングであって，示されたバンドコンビネーションでのキャリアアグリゲーションと示されたバンドでの同時D2D動作をサポートすることを示し，同時D2D動作はband_AでのD2D受信とband_AでのD2D送信を含む，UE能力シグナリング。」が記載されている。
　そして，引用例１の「同時D2D動作はband_AでのD2D受信とband_AでのD2D送信を含む」ことは，Ｄ２Ｄにより端末間で情報の伝送ができるかどうか，すなわち，Ｄ２Ｄによるポイントツーポイント伝送能力を含むことは明らかである。
　更に，「２　対比・判断」の項中の（６）で検討したとおり，本願発明の「前記端末装置がD2D通信をサポートする能力情報は，D2D検出能力，D2Dブロードキャスト通信能力，D2Dポイントツーポイント伝送能力，D2Dマルチキャスト通信能力，またはD2Dリレー通信能力を含む」に関して，「または」は択一的であることを意味するから，引用発明１（あるいは引用発明３）が「D2D検出能力，D2Dブロードキャスト通信能力，D2Dマルチキャスト通信能力，またはD2Dリレー通信能力」との事項を有しないことは，相違点とはならない。
　したがって，請求人の上記主張を採用することはできない。
第５　むすび 
　本願発明は，当業者が引用例４，引用例５，及び引用例１に記載された発明に基づいて容易に発明をすることができたものであるから，特許法第２９条第２項の規定により特許を受けることができない。
　したがって，本願は，他の請求項について検討するまでもなく，拒絶すべきものである。
　よって，結論のとおり審決する。